(57)【要約】【課題】天板を脚部で支持したテーブルや机、卓台等の家具において、天板の着座側である長辺側の端部処理が綺麗にでき、意匠的にもすっきりとしたシャープな外観を呈し、また脚体の強度も十分に確保でき、しかも天板の材料として各種のリサイクルボードを利用することが可能な天板を備えた家具を提供する。【解決手段】平面視長方形の天板１と、左右一対の垂直な脚杆３の上端間に水平な横枠杆４を連結した正面視門形状の脚体２とからなり、天板の両長辺の少なくとも一辺側に、脚体の横枠杆を天板の上面と面一状態で連結する一方、天板の長辺の他辺側を同一の脚体又は他の脚部材で支持する。天板は、表面板５の短辺側の両側端に側面板６を、表面板と外面が連続するように垂下接合した構造であり、脚体の横枠杆を表面板の上面と、各脚杆の外側面を側面板の外面と面一状態として連結する。【選択図】        図１
2007159867.tif 000002
【特許請求の範囲】
【請求項１】
平面視長方形の天板と、左右一対の垂直な脚杆の上端間に水平な横枠杆を連結した正面視門形状の脚体とからなり、前記天板の両長辺の少なくとも一辺側に、前記脚体の横枠杆を天板の上面と面一状態で連結する一方、前記天板の長辺の他辺側を前記同一の脚体又は他の脚部材で支持したことを特徴とする天板を備えた家具。
【請求項２】
前記天板は、平面視長方形を有する表面板の短辺側の両側端に、該表面板と同一板材からなる上下幅の狭い側面板を、前記表面板と外面が連続するように垂下接合した構造であり、前記脚体の横枠杆を前記表面板の上面と面一状態とするとともに、前記各脚杆の外側面を前記側面板の外面と面一状態として連結してなる請求項１記載の天板を備えた家具。
【請求項３】
前記脚体の脚杆と横枠杆とは、アルミ押出し型材からなる同一の中空部材であり、互いの連結面を４５°の角度で切断し、略Ｌ字形の連結金具の各連結片を前記脚杆と横枠杆との中空内部に挿入して連結してなる請求項１又は２記載の天板を備えた家具。
【請求項４】
前記脚体の脚杆と横枠杆の正面側で前記天板と接する外側部に、該天板の板材と略同一幅の断面略コ字形の突縁部を形成するとともに、該突縁部以外の部分を凹段部としてなる請求項１〜３何れかに記載の天板を備えた家具。
【発明の詳細な説明】
【技術分野】
【０００１】
本発明は、天板を備えた家具に係わり、更に詳しくはテーブルや机等の天板を備えた家具に関するものである。
【背景技術】
【０００２】
従来から、天板を脚部で支持したテーブルや机、卓台等の家具は各種提供されている。例えば、特許文献１には、平面矩形状の天板の長辺側の下面両端部に両端面にねじ孔を設けた柱状の補強枠材を固着すると共に天板の上面から補強枠材の露出表面に亙ってメラミン樹脂化粧板を貼着し、一方、２本一組の脚の上端に梁部材を連結した門形状の脚体を一対、天板の短辺側の両端面に密着させ、脚の上端部に貫通した通孔に通してボルトを前記補強枠材のねじ孔に螺着させたテーブルが開示されている。
【０００３】
前述の特許文献１記載のテーブルの天板は、天板の長辺側の下面に沿って補強枠材を固定し、天板の上面から補強枠材を巻き込んでメラミン樹脂化粧板を貼着した構造であるので、天板の前後縁は処理されるが、短辺側の両側端は天板、補強枠材及び化粧板の端部が露出することになるので、これを門形状の脚体で覆い隠したのである。それにより、メラミン樹脂化粧板の四方端面を外部に露出しないようにして端面からの剥離を防止したのである。尚、脚体は、前後の脚の上端間を梁部材で連結する際に、互の連結部に形成したくし歯状係合歯を互に係合させた構造を採用しているため、連結部の噛合構造が露出することになる。
【０００４】
しかし、通常は天板の長辺側に着座して使用するので、この着座側に補強枠材によって上下厚さが非常に厚い縁部が位置することになり、この部分が使用時に邪魔になったり、外観的に重厚になり過ぎるのである。また、仮に門形状の脚体側に着座すると、梁部材の下面に設けた幕板が同じく邪魔になるので使用しづらいといった不都合がある。
【特許文献１】実公昭５５−１７８５６号公報
【発明の開示】
【発明が解決しようとする課題】
【０００５】
そこで、本発明が前述の状況に鑑み、解決しようとするところは、天板を脚部で支持したテーブルや机、卓台等の家具において、天板の着座側である長辺側の端部処理が綺麗にでき、意匠的にもすっきりとしたシャープな外観を呈し、また脚体の強度も十分に確保でき、しかも天板の材料として各種のリサイクルボードを利用することが可能な天板を備えた家具を提供する点にある。
【課題を解決するための手段】
【０００６】
本発明は、前述の課題解決のために、平面視長方形の天板と、左右一対の垂直な脚杆の上端間に水平な横枠杆を連結した正面視門形状の脚体とからなり、前記天板の両長辺の少なくとも一辺側に、前記脚体の横枠杆を天板の上面と面一状態で連結する一方、前記天板の長辺の他辺側を前記同一の脚体又は他の脚部材で支持してなる天板を備えた家具を構成した（請求項１）。
【０００７】
ここで、前記天板は、平面視長方形を有する表面板の短辺側の両側端に、該表面板と同一板材からなる上下幅の狭い側面板を、前記表面板と外面が連続するように垂下接合した構造であり、前記脚体の横枠杆を前記表面板の上面と面一状態とするとともに、前記各脚杆の外側面を前記側面板の外面と面一状態として連結してなることが好ましい（請求項２）。
【０００８】
また、前記脚体の脚杆と横枠杆とは、アルミ押出し型材からなる同一の中空部材であり、互いの連結面を４５°の角度で切断し、略Ｌ字形の連結金具の各連結片を前記脚杆と横枠杆との中空内部に挿入して連結してなることが好ましい（請求項３）。
【０００９】
そして、前記脚体の脚杆と横枠杆の正面側で前記天板と接する外側部に、該天板の板材と略同一幅の断面略コ字形の突縁部を形成するとともに、該突縁部以外の部分を凹段部としてなることも好ましい（請求項４）。
【発明の効果】
【００１０】
以上にしてなる請求項１に係る発明の天板を備えた家具は、天板の着座側である長辺側に正面視門形状の脚体を有し、天板の両長辺の少なくとも一辺側に脚体の横枠杆を天板の上面と面一状態で連結したので、着座側を広く使用することを可能としつつ、脚体によって天板の少なくとも前縁側の端部処理を綺麗に行うことができるとともに、天板の上面と脚体の横枠杆の上面が連続して一体感を呈し、更に天板の横方向（長手方向）の曲げ強度を脚体によって大幅に改善することができるのである。ここで、前記天板の長辺の他辺側を前記同一の脚体で支持することにより、テーブル又は卓台として使用することができ、他の脚部材で支持することにより、例えば天板よりも上方へ延びた支柱で支持し、両支柱にパネルや棚板を設ければ棚付き机として使用することができるのである。
【００１１】
請求項２によれば、天板は、平面視長方形を有する表面板の短辺側の両側端に、該表面板と同一板材からなる上下幅の狭い側面板を、前記表面板と外面が連続するように垂下接合した構造であるので、比較的厚さが薄い板材を用いても正面視において倒コ字形となって奥行方向の曲げ強度を高めつつ、側面視における厚みを厚く見せることができ、また脚体の横枠杆を前記表面板の上面と面一状態とするとともに、前記各脚杆の外側面を前記側面板の外面と面一状態として連結したので、天板と脚体の一体感と連続感がより一層高まるのである。前記天板として、脆くて強度的が不足するリサイクルボードを用いても、天板自体のコ字形構造による強度向上と、脚体による補強によって家具の天板として十分に使用に耐えるものとなる。
【００１２】
請求項３によれば、脚体の脚杆と横枠杆とは、アルミ押出し型材からなる同一の中空部材であり、互いの連結面を４５°の角度で切断し、略Ｌ字形の連結金具の各連結片を前記脚杆と横枠杆との中空内部に挿入して連結してなるので、脚体は十分な強度を備えているとともに、脚杆と横枠杆との連結部が連続するので意匠的にもすっきりとしたものとなる。
【００１３】
請求項４によれば、脚体の脚杆と横枠杆の正面側で前記天板と接する外側部に、該天板の板材と略同一幅の断面略コ字形の突縁部を形成するとともに、該突縁部以外の部分を凹段部としてなるので、正面の斜め上方から見た場合に、前記凹段部が陰となるので、突縁部が強調され、厚みが薄く見えるので、シャープな外観となる。
【発明を実施するための最良の形態】
【００１４】
次に、添付図面に示した実施形態に基づき、本発明を更に詳細に説明する。図１〜図３は本発明に係る天板を備えた家具の代表的実施形態であるテーブルを示し、図４〜図９はその詳細を示し、図中符号１は天板、２は脚体、３は脚杆、４は横枠杆、５は表面板、６は側面板をそれぞれ示している。
【００１５】
本実施形態のテーブルは、平面視長方形の天板１と、左右一対の垂直な脚杆３，３の上端間に水平な横枠杆４を連結した正面視門形状の一対の脚体２，２とからなり、前記天板１の両長辺に、それぞれ前記脚体２の横枠杆４を天板１の上面と面一状態で連結したものである。
【００１６】
尚、本実施形態では図示しないが、前記天板１の両長辺の少なくとも一辺側に、前記脚体２の横枠杆４を天板１の上面と面一状態で連結する一方、前記天板の長辺の他辺側を他の脚部材で支持することも可能である。ここで、脚部材としては、前記脚杆３よりも長い支柱を、前記脚杆３，３と同間隔に配し、前記横枠杆４と同一高さ間に同様な横枠杆を渡設し、両支柱とその間に渡設した横枠杆を天板に面一に接合した状態で適宜な連結手段で連結し、両支柱の上部にバックパネルと棚板を装着して棚付き机を構成することも可能である。
【００１７】
本実施形態のテーブルは、図１〜図３に概略示すように、前記天板１は、平面視長方形を有する表面板５の短辺側の両側端に、該表面板５と同一板材からなる上下幅の狭い側面板６，６を、前記表面板５と外面が連続するように垂下接合した構造である。更に、前記天板１の表面板５の下面で前後中央部に長手方向に補強板７を固定するとともに、該補強板７の両端面を前記両側面板６，６の内面に固定している。ここで、前記補強板７は、前記側面板６よりも下方へ突出しないように設定している。そして、前記脚体２の横枠杆４を前記表面板５の上面と面一状態とするとともに、前記各脚杆３，３の外側面を前記側面板６，６の外面と面一状態として連結している。
【００１８】
更に詳しく各部の構造を説明する。先ず、前記天板１は、本実施形態では、リサイクルボードを用いて構成している。例えば、リサイクルボードとしては、基材の材料として木砕片、古紙、廃プラスチック、植物の殻や繊維質等を用い、これらを接着剤や樹脂エマルジョン等で含浸固化させたものを単体又は複合化したものである。中質繊維板（ＭＤＦ）もリサイクルボードの一例である。このようなリサイクルボードは、脆い性質を有し、中には天板として単板では強度を備えてないものもある。本実施形態では、表面を化粧仕上げしたリサイクルボードを用いているが、勿論、天然の無垢木材を用いることも可能である。
【００１９】
前記天板１は、図４及び図５に示すように、長方形の表面板５の両端を４５°の角度に切断するとともに、前記側面板６の上端を同様に４５°の角度に切断し、両切断面８，９を接合して直角に連結するのである。図５に示すように、前記表面板５と側面板６の連結部は、最終的には両切断面８，９を交差するように複数のピンダボ１０，…を打ち込むとともに、接着剤によって接着するが、連結強度を更に高めるために、図４に示すような連結ピン１１と回転締結具１２を用いて互いに引き付けて連結する。
【００２０】
前記表面板５の下面の側端寄り位置に、前記回転締結具１２を回転可能に収容する円形穴１３を形成するとともに、前記切断面８から該円形穴１３に連通する前記連結ピン１１を挿通する通孔１４を形成している。同様に、前記側面板６の内面の上端寄り位置に、円形穴１５を形成するとともに、切断面９から該円形穴１５に連通した通孔１６を形成している。そして、一対の連結ピン１１，１１の先端同士を枢軸１７にて連結し、それぞれ表面板５の通孔１４と側面板６の通孔１６に挿入し、前記円形穴１３，１５内に臨んだそれぞれの連結ピン１１の頭部１８に該円形穴１３，１５に挿入した前記回転締結具１２に係合させ、両回転締結具１２，１２を一方向に回転させてそれぞれ連結ピン１１を引き込んで締結するのである。ここで、前記連結ピン１１と回転締結具１２は、市販品を使用している。
【００２１】
また、図６〜図８に示すように、前記脚体２の脚杆３と横枠杆４とは、アルミ押出し型材からなる同一の中空部材であり、互いの連結面を４５°の角度で切断し、３種類の略Ｌ字形の連結金具１９，２０，２１の各連結片を前記脚杆３と横枠杆４との中空内部に挿入して連結している。前記アルミ押出し型材は、断面外形が略四角形であり、中央部に閉じた中央空間２２を形成するとともに、一側面側には内方に偏平空間２３を形成し、他側面側には外側寄りに幅の狭い方形空間２４を形成し、前記偏平空間２３は幅方向中央部に形成した開口溝２５で開放され、更に内側面側には２条の溝部２６，２６が形成されたものである。前記脚杆３と横枠杆４の切断面２７，２８を接合するが、その際に厚さと横幅が大きな前記連結金具１９の各連結片１９Ａ，１９Ａをそれぞれ前記中央空間２２，２２に嵌挿し、偏平な板状の前記連結金具２０の各連結片２０Ａ，２０Ａをそれぞれ前記偏平空間２３，２３に嵌挿し、前記連結金具１９よりも細い前記連結金具２１の各連結片２１Ａ，２１Ａを前記方形空間２４，２４に嵌挿し、それぞれ前記脚杆３と横枠杆４の外壁面を貫通させた複数のネジ２９，３０，３１を各連結片１９Ａ，２０Ａ，２１Ａに螺合する。
【００２２】
このように前記脚杆３と横枠杆４を連結部には、ネジの頭部が見えるだけで連結金具１９，２０，２１は、直接見えないか目立たない奥部に位置している。また、前記脚杆３の下端にはアジャスター３２を設けている。
【００２３】
前記脚体２を天板１の前後の長辺側に沿わせて連結するが、その連結構造を図２〜図４、図９及び図１０に示している。先ず、前記横枠杆４と表面板５との連結は、図９に拡大して示すように、前記同様な連結ピン１１と回転締結具１２を用いる。つまり、前記表面板５の下面の前後端寄り位置に前記同様な円形穴３３と前後端面から該円形穴３３に連通した通孔３４を形成し、前記連結ピン１１の一端に形成した螺軸３５を前記横枠杆４の側壁面に形成した螺孔３６に螺合した状態で、該連結ピン１１を前記通孔３４に挿入し、円形穴３３に臨んだ頭部１８に該円形穴３３に挿入した回転締結具１２を係合し、該回転締結具１２を一方向に回転させて引き付けて連結する。更に、図１０に示すように、前記表面板５の下面と横枠杆４の内壁面で形成する角部にアングル金具３７を当てて、表面板５の下面に埋設したオニメナット３８と横枠杆４の内壁面に形成した螺孔３９にネジ４０，４０を螺合して補強している。また、前記脚杆３の上端部と前記側面板６との連結構造も前記連結ピン１１と回転締結具１２を用いて連結する構造であるので、その説明は省略する。
【００２４】
そして、図１、図６、図８〜図１０に示すように、前記脚体２の脚杆３と横枠杆４の正面側で前記天板１と接する外側部に、該天板１の板材と略同一幅の断面略コ字形の突縁部４１を形成するとともに、該突縁部４１以外の部分を凹段部４２としている。ここで、前記突縁部４１の内部は、前記方形空間２４となっている。また、前記脚体２を構成するアルミ押出し型材は、断面外形が長方形であり、そして前記脚杆３は、横幅よりも奥行方向の寸法が大きく、また前記横枠杆４は上下幅よりも奥行方向の寸法が大きくなるように配設しているので、前述の突縁部４１と凹段部４２の効果に加えて部材の厚さを薄く見せることができるのである。
【００２５】
また、前記開口溝２５や溝部２６は、必要に応じて合成樹脂製のカバーを装着することができる。また、机仕様として前記脚体２を構成するアルミ押出し型材を支柱として利用する場合、前記開口溝２５や溝部２６を利用してバックパネルや棚板等のオプションを取付けることができる。
【図面の簡単な説明】
【００２６】
【図１】本発明の天板を備えた家具の代表的実施形態としてのテーブルの斜視図である。
【図２】同じくテーブルの底面図である。
【図３】同じく中央縦断面図である。
【図４】天板の表面板と側面板の連結構造を示す部分拡大断面図である。
【図５】同じく天板の表面板と側面板の連結構造を示す部分拡大断面図である。
【図６】脚体の脚杆と横枠杆との連結部の構造を示す部分拡大斜視図である。
【図７】同じく脚杆と横枠杆との連結状態の部分背面図である。
【図８】図７のＸ−Ｘ線断面図である。
【図９】脚体の横枠杆と天板の表面板との連結構造を示す拡大断面図である。
【図１０】同じく脚体の横枠杆と天板の表面板との連結構造を示す拡大断面図である。
【符号の説明】
【００２７】
１  天板                    ２  脚体
３  脚杆                    ４  横枠杆
５  表面板                  ６  側面板
７  補強板                  ８  切断面
９  切断面                  １０  ピンダボ
１１  連結ピン              １２  回転締結具
１３  円形穴                １４  通孔
１５  円形穴                １６  通孔
１７  枢軸                  １８  頭部
１９，２０，２１  連結金具  ２２  中央空間
２３  偏平空間              ２４  方形空間
２５  開口溝                ２６  溝部
２７  切断面                ２８  切断面
２９，３０，３１  ネジ      ３２  アジャスター
３３  円形穴                ３４  通孔
３５  螺軸                  ３６  螺孔
３７  アングル金具          ３８  オニメナット
３９  螺孔                  ４０  ネジ
４１  突縁部                ４２  凹段部
【図１】
2007159867.tif 000003
【図２】
2007159867.tif 000004
【図３】
2007159867.tif 000005
【図４】
2007159867.tif 000006
【図５】
2007159867.tif 000007
【図６】
2007159867.tif 000008
【図７】
2007159867.tif 000009
【図８】
2007159867.tif 000010
【図９】
2007159867.tif 000011
【図１０】
2007159867.tif 000012